(57)【要約】【課題】ディスクの中心部に、円盤状センターハブがリング状両面粘着性テープからなる粘着性リングを介して貼り付けられてなるディスクカートリッジの製造において、粘着性リングを表面に貼り付けた帯状の搬送用ベースフィルムを移動させて、ベースフィルム上の粘着性リングをハブ貼付け位置に搬送し、このハブ貼付け位置においてセンターハブを粘着性リングを介してベースフィルム上に一時的に貼り付け、次いでベースフィルムを剥離させる場合に、ベースフィルムを安定に剥離させる。【解決手段】ベースフィルム３０を、楔状部４５ｂを備えた案内部材４５の楔状部４５ｂの尖端Ｔを巡って折返す方向に案内して剥離させる。【選択図】        図５
2006073121.tif 000002
【特許請求の範囲】
【請求項１】
情報記録媒体としての回転式ディスクを扁平なハウジング内に備え、前記ディスクの中心部に、円盤状センターハブがリング状両面粘着性テープからなる粘着性リングを介して貼り付けられてなるディスクカートリッジの前記センターハブを前記ディスクへ貼付ける方法であって、
（１）複数枚の前記粘着性リングを帯状の搬送用ベースフィルム上に形成して配列し、
（２）該ベースフィルムを移動させて、該ベースフィルム上の前記粘着性リングを第１のハブ貼付け位置に搬送し、
（３）該第１のハブ貼付け位置において前記センターハブを、前記粘着性リングを介して前記ベースフィルム上に一時的に貼り付け、
（４）次いで該ベースフィルムを折返す方向に案内することにより、前記ベースフィルムの表面と前記センターハブの底面との双方に貼り付いている前記粘着性リングから前記ベースフィルムを剥離させ、
（５）しかる後、第２のハブ貼付け位置において前記センターハブを、該センターハブの底面に貼り付いている前記粘着性リングを介して前記ディスクに恒久的に貼り付けることを特徴とするセンターハブの貼付け方法。
【請求項２】
前記ベースフィルムを、楔状部を備えた案内部材の前記楔状部の尖端を巡って折返す方向に案内することにより、前記粘着性リングから前記ベースフィルムを剥離させることを特徴とする請求項１記載の方法。
【請求項３】
前記第１のハブ貼付け位置において前記ベースフィルム上に前記センターハブを貼り付けてから所定時間経過後に、前記粘着性リングから前記ベースフィルムを剥離させることを特徴とする請求項１または２記載の方法。
【請求項４】
前記所定時間が少なくとも３秒間であることを特徴とする請求項３記載の方法。
【請求項５】
情報記録媒体としての回転式ディスクを扁平なハウジング内に備え、前記ディスクの中心部に、円盤状センターハブがリング状の両面粘着性テープからなる粘着性リングを介して貼り付けられてなるディスクカートリッジの前記ハブを前記ディスクへ貼付ける装置であって、
複数枚の前記粘着性リングを表面に配列した帯状の搬送用ベースフィルムを駆動して、該ベースフィルム上の前記粘着性リングを第１のハブ貼付け位置に搬送するベースフィルム駆動手段と、
前記第１のハブ貼付け位置において前記センターハブを、前記粘着性リングを介して前記ベースフィルム上に貼り付ける第１のハブ貼付け手段と、
楔状部を備え、前記ベースフィルムを前記楔状部の尖端を巡って折返す方向に案内することにより、前記ベースフィルムの表面と前記センターハブの底面との双方に貼り付いている前記粘着性リングから前記ベースフィルムを剥離させる案内手段と、
第２のハブ貼付け位置において前記センターハブを、該センターハブの底面に貼り付いている前記粘着性リングを介して前記ディスクに貼り付ける第２のハブ貼付け手段と、
を備えていることを特徴とするハブ貼付け装置。
【請求項６】
前記楔状部の尖端が、前記第１のハブ貼付け位置から前記ベースフィルムの移動方向の下流側に離間した位置に設けられていることを特徴とする請求項５記載の装置。
【発明の詳細な説明】
【技術分野】
【０００１】
本発明は、情報記録媒体としての回転式ディスクを扁平なハウジング内に備え、上記ディスクの中心部に、円盤状センターハブがリング状の両面粘着性テープからなる粘着性リングを介して貼り付けられてなるディスクカートリッジの製造方法および装置に関し、特に、上記センターハブを上記ディスクへ貼付ける方法および装置に関するものである。
【背景技術】
【０００２】
従来より、デジタルカメラ等のモバイル機器においては、記録媒体として、「ｃｌｉｋ！（登録商標）」と呼ばれる超小型の磁気ディスクカートリッジが使用されている（特許文献１参照）。
【０００３】
図７（ａ），（ｂ）は、この磁気ディスクカートリッジの平面図および底面図、図８は図７（ｂ）の８−８線に沿った要部拡大断面図である。
【０００４】
この磁気ディスクカートリッジ１は、図示しないドライブ装置に装填する際に指で押し込む押込み部２ａを含むスペーサーまたはスタビライザと呼ばれる樹脂製のフレーム２と、厚さ０．２ｍｍ程度のステンレス鋼板からなる上シェル３および下シェル４とによって構成された、幅５０ｍｍ、奥行き５５ｍｍ、厚さ１．９５ｍｍの扁平なハウジング内に、４０ＭＢの記憶容量を有する直径４６．５ｍｍの磁気ディスク５を、ドライブ装置に装填されたときに回転自在になるように収容している。磁気ディスク５の中心部には、図２に示すように、中心孔１０ａを備えたセンターハブ（センターコア）１０がリング状の両面粘着性テープからなる粘着性リング１５を介して貼り付けられている。
【０００５】
この磁気ディスクカートリッジ１は、幅５３ｍｍ、奥行き８５ｍｍ、厚さ５ｍｍの外寸を有するＴＹＰＥII  ＰＣカード型のドライブ装置（図略）が備えているスロットに挿入形式でローディングされるように構成され、上下シェル３，４内には、上記ドライブ装置が備えている記録再生用磁気ヘッドを磁気ディスク５の表面にアクセスさせるための略Ｖ字状の開口部６が形成され、上下シェル３，４の内側には、上記開口部６を回転式に開閉するための開口部７ａを備えたロータリーシャッタ７が、図示しないバネ部材によって閉方向に付勢された態様で設けられている。
【０００６】
ロータリーシャッタ７は、周縁部で互いに係合された上下のシャッタ部材７Ｕ，７Ｄからなり、図２から明らかなように、上シャッタ部材７Ｕは、上シェル３の下面から内方へ突出する小径の円筒体３ａによって回転可能に軸支され、且つ円筒体３ａの尖端には、上シャッタ部材７Ｕの円筒体３ａからの抜出しを防止するためのセンタピンと呼ばれる抜止め部材９が溶接されて、センターハブ１０の中心孔１０ａ内に介入している。
【０００７】
下シェル４の中央部には、センターハブ１０を外部に臨ませる円形の中心孔４ａが形成され、下シャッタ部材７Ｄの中心部には、下シェル４の中心孔４ａの周縁に遊嵌される大径の円筒体７Ｄａが下方へ向かって突設されて、この円筒体７Ｄａによって下シャッタ部材７Ｄが下シェル４に回転可能に支持されているとともに、円筒体７Ｄａの尖端部がカシメられて、下シャッタ部材７Ｄの下シェル４からの抜出しを防止するフランジ１２が形成されている。上下のシャッタ部材７Ｕ，７Ｄの内面には、ディスク５上の塵埃を払拭するための不織布等からなるライナ１３が貼り付けられている。
【０００８】
さらに下シェル４には、図７（ｂ）に示すように、ロータリーシャッタ７と同心的な円弧状開口４ｂが形成され、下シャッタ部材７Ｄには、上記円弧状開口４ｂから突出し且つこの円弧状開口４ｂに沿って移動してロータリーシャッタ７を開閉するためのシャッタノブ７ｂが固設されている。そして、ドライブ装置に対する磁気ディスクカートリッジ１のローディング動作に伴って、ドライブ装置の係合壁面がシャッタノブ７ｂに係合して、ロータリーシャッタ７がその開口部７ａを上下シェル３，４の開口部６に一致させた開位置まで回転されることにより、磁気ディスク５を上下シェル３，４の開口部６から露出させるように構成され、また、ドライブ装置からの磁気ディスクカートリッジ１のアンローディング動作に伴って、ロータリーシャッタ７は図示しないバネ部材によって図７（ａ），（ｂ）に示す閉位置に復帰するように構成されている。
【特許文献１】米国特許第６,１３３,５４４号明細書
【発明の開示】
【発明が解決しようとする課題】
【０００９】
ところで従来、上記磁気ディスク５の中心部に粘着性リング１５を介してセンターハブ１０を貼り付ける場合、リング状に型抜きされた両面粘着性テープからなる粘着性リング１５を帯状の搬送用ベースフィルム上に配列し、このベースフィルムを移動させて、ベースフィルム上の前記粘着性リング１５を１枚ずつ第１のハブ貼付け位置に搬送するとともに、１個のセンターハブ１０を掴んだハブ貼付けヘッドを上記第１のハブ貼付け位置に移動させ、かつ粘着性リング１５上に垂直に下降させて、センターハブ１０の底面に粘着性リングの表面を貼り付かせ、直ちに上記ヘッドを垂直に上昇させて、ベースフィルムの表面とセンターハブ１０の底面との双方に貼り付いている粘着性リング１５からベースフィルムを剥離させ、次いで、センターハブ１０を、第２のハブ貼付け位置において、このセンターハブ１０の底面に貼り付いている粘着性リング１５を介して磁気ディスク５に貼り付けるという手順で行なっていた。
【００１０】
上記のようなベースフィルムの剥離方法は、センターハブ１０に対する粘着性リング１５の粘着力と、ベースフィルムに対する粘着性リング１５の粘着力との差を利用して、すなわち、センターハブ１０に対する粘着性リング１５の粘着力が、ベースフィルムに対する粘着性リング１５の粘着力よりも大きいことを利用して、ベースフィルムを剥離させるものであるが、このようなベースフィルムの剥離方法では、剥離の安定性に欠け、センターハブ１０を磁気ディスク５に貼り付けたときに、ややもすると、粘着性リング１５に皺が寄ったり、センターハブ１０と磁気ディスク５との間に空気が入ったりする問題があった。
【００１１】
上述の事情に鑑み、本発明は、ベースフィルムの安定な剥離を可能にするセンターハブの貼付け方法および装置を提供することを目的とするものである。
【課題を解決するための手段】
【００１２】
本発明は、情報記録媒体としての回転式ディスクを扁平なハウジング内に備え、上記ディスクの中心部に、円盤状センターハブがリング状の両面粘着性テープからなる粘着性リングを介して貼り付けられてなるディスクカートリッジのセンターハブをディスクへ貼付ける方法であって、
（１）複数の上記粘着性リングを帯状の搬送用ベースフィルム上に形成して配列し、
（２）このベースフィルムを移動させて、上記粘着性リングを第１のハブ貼付け位置に搬送し、
（３）この第１のハブ貼付け位置において上記センターハブを、上記粘着性リングを介して上記ベースフィルム上に一時的に貼り付け、
（４）次いでこのベースフィルムを折り返す方向に案内することにより、ベースフィルムの表面とセンターハブの底面との双方に貼り付いている上記粘着性リングからベースフィルムを剥離させ、
（５）しかる後、第２のハブ貼付け位置において、上記センターハブを、このセンターハブの底面に貼り付いている上記粘着性リングを介して上記ディスクに貼り付けることを特徴とするものである。
【００１３】
この場合、上記ベースフィルムを、楔状部を備えた案内部材の楔状部の尖端を巡って折り返す方向に案内することにより、上記粘着性リングからベースフィルムを剥離させることが好ましい。
【００１４】
また、上記ベースフィルム上に上記センターハブを貼り付けてから所定時間経過後に、例えば少なくとも３秒間経過後に、上記粘着性リングからベースフィルムを剥離させることが好ましい。
【００１５】
また本発明は、情報記録媒体としての回転式ディスクを扁平なハウジング内に備え、上記ディスクの中心部に、円盤状センターハブがリング状の両面粘着性テープからなる粘着性リングを介して貼り付けられてなるディスクカートリッジのセンターハブをディスクへ貼付ける装置であって、
複数枚の上記粘着性リングを表面上に配列した搬送用ベースフィルムを駆動して、このベースフィルム上の上記粘着性リングを第１のハブ貼付け位置に搬送するベースフィルム駆動手段と、
上記第１のハブ貼付け位置において上記センターハブを、上記粘着性リングを介して上記ベースフィルム上に貼り付ける第１のハブ貼付け手段と、
楔状部を備え、上記ベースフィルムを上記楔状部の尖端を巡って折り返す方向に案内することにより、ベースフィルムの表面とセンターハブの底面との双方に貼り付いている粘着性リングからベースフィルムを剥離させる案内手段と、
第２のハブ貼付け位置において上記センターハブを、このセンターハブの底面に貼り付いている粘着性リングを介して上記ディスクに貼り付ける第２のハブ貼付け手段と、
を備えていることを特徴とするものである。
【００１６】
上記楔状部の尖端が、上記第１のハブ貼付け位置からベースフィルムの移動方向の下流側に離間した位置に設けられていることが好ましい。
【発明の効果】
【００１７】
本発明のハブ貼付け方法によれば、ベースフィルムを、を備えた案内部材の上記楔状部の尖端を巡って折り返す方向に案内することにより、ベースフィルムの表面とセンターハブの底面との双方に貼り付いている上記粘着性リングからベースフィルムを剥離させるようにしているから、ベースフィルムが粘着性リングの端部から順に剥離して行くことになり、安定した剥離が可能になり、これによって、センターハブをディスクに貼り付けたときに、粘着性リングに皺が寄ったり、センターハブと磁気ディスクとの間に空気が入ったりする問題を解消させることができる。
【００１８】
そして、上記第１のハブ貼付け位置においてベースフィルム上にセンターハブを貼り付けてから所定時間経過後に、上記ベースフィルムを剥離させることにより、粘着性リングがより強力にセンターハブの底面に貼り付くことになり、ディスクに対するセンターハブの貼り付けがより安定する効果がある。
【００１９】
そして、本発明のハブ貼付け装置によれば、上記案内部材の楔の尖端が、上記第１のハブ貼付け位置からベースフィルムの移動方向の下流側に離間した位置に設けられていることにより、ベースフィルムが第１のハブ貼付け位置から上記案内部材の楔の尖端まで移動する間の時間の経過によって、上記効果を生じさせることができる。
【発明を実施するための最良の形態】
【００２０】
以下、本発明の実施の形態について、図面を参照して詳細に説明する。
【００２１】
図１は本発明によるハブ貼付け装置の概略的正面図、図２（ａ）〜（ｅ）は、図１のハブ貼付け装置で使用される粘着性リングを備えた搬送用ベースフィルムを作成するための順次の工程を示す説明図、図３は図１のハブ貼付け装置の要部の概略的平面図、図４はその側面図である。
【００２２】
先ず初めに、粘着性リングの形成方法およびこの粘着性リングを搬送する帯状のベースフィルムについて、図２（ａ）〜（ｅ）を参照して説明する。
【００２３】
先ず、図２（ａ）の拡大断面図に示すような両面粘着性テープ１９を用意する。この両面粘着性テープ１９は、通常の両面粘着性テープと同様に、ベースフィルム３０と剥離紙１８との間に両面粘着性フィルム１７を備えており、この両面粘着性フィルム１７は、基材フィルム１６ａとその両面に塗布された粘着剤層１６ｂ、１６ｂとからなる。
【００２４】
次に図２（ｂ）の斜視図に示すように、粘着性リング１５の中心孔１５ａに等しい大きさの円孔３１およびパーフォレーション３２を、剥離紙１８の上から両面粘着性テープ１９を貫通する透孔としてベースフィルム３０の長手方向に沿って等間隔に抜き落とすとともに、各円孔３１の周囲にこれと同軸的に、粘着性リング１５の外径に等しい円周１５ｂをベースフィルム３０を残してハーフカットして、孔開き剥離紙１８′を表面に備えた孔開き両面粘着性テープ１９′を形成する。
【００２５】
次に図２（ｃ）の拡大断面図に示すように、不要な両面粘着性フィルム１７′を孔開き剥離紙１８′とともにベースフィルム３０の表面から取り除き、図２（ｄ）の斜視図に示すように、ベースフィルム３０の表面に粘着性リング１５を配列した粘着性リング付きベースフィルム３３を作成し、次いで、この粘着性リング付きベースフィルム３３が供給スプール２１（図１）に巻回されたときに粘着性リング１５がその上に巻かれるフィルムに粘着するのを防止するための剥離紙３４を、図２（ｅ）に示すように粘着性リング付きベースフィルム３３の上に貼り付けて、剥離紙付きベースフィルム３５を形成する。
【００２６】
この剥離紙付きベースフィルム３５は、図１のハブ貼付け装置１００の右側に示すベースフィルム供給・巻取り装置２０が備えているベースフィルム供給スプール２１に巻回され、供給時には、剥離紙３４を剥離紙巻取りスプール２３に巻き取りながら、図２（ｄ）に示す粘着性リング付きベースフィルム３３の形態で、ダンサーローラ２３を含むローラ群２４を経由してスプロケット２５により第１のハブ貼付け位置Ａ１に向かって移動せしめられて、粘着性リング１５を１枚ずつ第１のハブ貼付け位置Ａ１に搬送する。なお、ローラ群２４の表面両縁には、粘着性リング１５がローラ表面に接触しないようにガイドが形成されている。
【００２７】
このハブ貼付け装置１００は、図４および図６に示すように、センターハブ１０の中心孔１０ａに挿入される位置決め用のピン４１ａ，４２ａをそれぞれ備えた真空吸着式の第１および第２のハブ貼付けヘッド４１，４２を備えている。
【００２８】
第１のハブ貼付けヘッド４１は、図３の上部に示すハブ供給部４３に設定された第１のハブ待機位置Ｐ１と、上記第１のハブ貼付け位置Ａ１との間を往復移動するように構成され、第１のハブ待機位置Ｐ１から１個のセンターハブ１０を吸着して第１のハブ貼付け位置Ａ１に搬送し、かつベースフィルム３０上に貼り付けられている粘着性リング１５を介してセンターハブ１０を粘着性リング付きベースフィルム３３上に貼り付ける機能を有する。これにより、ベースフィルム３０上の粘着性リング１５は、ベースフィルム３０の表面とセンターハブ１０の底面との双方に貼り付くことになる。
【００２９】
上記ハブ供給部４３には、センターハブ１０を１個ずつ、第１のハブ待機位置Ｐ１に位置決めする位置決め部材４４が設けられている。
【００３０】
第２のハブ貼付けヘッド４２は、後述する第２のハブ待機位置Ｐ２と第２のハブ貼付け位置Ａ２との間を往復移動するように構成され、ベースフィルム３０の表面とセンターハブ１０の底面との双方に貼り付いている粘着性リング１５から、後述するベースフィルム剥離位置Ｓにおいてベースフィルム３０が剥離された後に、第２のハブ待機位置Ｐ２に位置決めされる粘着性リング１５の付いたセンターハブ１０を吸着して第２のハブ貼付け位置Ａ２に搬送し、センターハブ１０を粘着性リング１５を介して磁気ディスク５の中心部に貼り付ける機能を有する。
【００３１】
第１のハブ貼付け位置Ａ１には、図５に示すように、粘着性リング付きベースフィルム３３を第１のハブ貼付け位置Ａ１およびベースフィルム剥離位置Ｓに案内する上面４５ａを備えた案内部材４５が配設され、この案内部材４５は、粘着性リング付きベースフィルム３３の移動方向の下流側に楔状部４５ｂを備えており、この楔状部４５ｂの尖端Ｔが後述するようにベースフィルム３０を剥離させるベースフィルム剥離位置Ｓになっている。楔状部４５ｂの尖端Ｔは、ベースフィルム３０が切断されないように微少の曲率半径を備えている。
【００３２】
また、第１のハブ貼付け位置Ａ１には、図６に示すように、ベースフィルム３３の下面を受けるリング状の弾性体パッド４６を備えた受け台４７が案内部材４５に固定されている。
【００３３】
上記リング状弾性体パッド４６は、例えばＡ５０〜８０°程度のゴム硬度を有するウレタンラバー、シリコーンラバー等により形成され、センターハブ１０の外径寸法Ａ（約１５ｍｍ）よりも小さく、粘着性リング１５の外径寸法Ｃ（約１１ｍｍ）よりも大きい外径寸法Ｂ（約１３ｍｍ）を有する。またリング状弾性体パッド４６は、センターハブ１０の中心孔１０ａの内径寸法ａよりも大きく、粘着性リング１５の中心孔１５ａの内径寸法ｃよりも小さい内径寸法ｂを有する。そして、センターハブ１０の貼り付け時に、弾性体パッド４６の周辺部を５０ＫＰａ以下で真空吸引する手段が設けられている。また、センターハブ１０と粘着性リング１５とが接触する速度は１００ｍｍ／Ｓ以下に設定することが好ましい。
【００３４】
なお、理解を容易にするために、図５および図６では、ベースフィルム３３およびセンターハブ１０が案内部材４５の上面４５ａから浮き上がっているように描いてあり、さらに図６では、粘着性リング１５がベースフィルム３３およびセンターハブ１０から離れているように描いてあるが、実際は密着していることは言うまでもない。
【００３５】
上述のように、第１のハブ貼付け位置Ａ１において、粘着性リング１５を介してセンターハブ１０がベースフィルム３３上に貼り付けられた後、すなわち粘着性リング１５が、ベースフィルム３０の表面とセンターハブ１０の底面との双方に貼り付いた後、図５に示すように、第１のハブ貼付け位置Ａ１からベースフィルム３３の移動方向の下流側に離れた位置にあるベースフィルム剥離位置Ｓに達すると、ベースフィルム３０は、楔状部４５ｂの尖端Ｔとこれに隣接するセンターハブ支持台４８との間の空隙４９から下方へ潜り、楔状部４５ｂの尖端Ｔを巡って折り返す方向に案内され、これによって、ベースフィルム３０の表面とセンターハブ１０の底面との双方に貼り付いている粘着性リング１５からベースフィルム３０が剥離され、粘着性リング１５を底面に備えたセンターハブ１０は、センターハブ支持台４８上に移って第２のハブ待機位置Ｐ２に位置決めされる。
【００３６】
この場合、ベースフィルム剥離位置Ｓが、上述のように第１のハブ貼付け位置Ａ１からベースフィルム３３の移動方向の下流側に離れた位置に設定されていることにより、粘着性リング１５がセンターハブ１０の底面にも貼り付けられてから、ベースフィルム３０が剥離されるまで、若干の時間(少なくとも３秒間)が経過することになる。
【００３７】
上述の態様で剥離されたベースフィルム３０は、図１に示すように、ベースフィルム巻取りスプール２６に巻き取られる。
【００３８】
一方、第２のハブ貼付けヘッド４２は、第２のハブ待機位置Ｐ２に位置決めされた粘着性リング付きセンターハブ１０を吸着して第２のハブ貼付け位置Ａ２に搬送し、このセンターハブ１０の底面に貼り付いている粘着性リング１５を介してセンターハブ１０を磁気ディスク５の中心部に貼り付ける。
【００３９】
第２のハブ貼付け位置Ａ２には、磁気ディスク５を収容する凹部５０ａを備えたディスク支持台５０が設けられ、第２のハブ貼付け位置Ａ２においてセンターハブ１０を貼り付けられた磁気ディスク５は、第１および第２のハブ貼付けヘッド４１、４２と同様の構成を有する図示しないディスク取出しヘッドによって外部へ取り出される。
【００４０】
上記凹部５０ａの周囲には、凹部５０ａから磁気ディスク５を取り出すときに磁気ディスク５が負圧によって凹部５０ａの底面に貼りつくのを防止するための凹部５０ａに通ずる複数の通気溝５０ｂが形成されている。
【００４１】
以上の説明で、本発明によるセンターハブの貼付け装置の一実施の形態の構成およびその動作が明らかになったが、本実施の形態によれば、ベースフィルム３０を、楔状部４５ｂを備えた案内部材４５の楔状部４５ｂの尖端Ｔを巡って折り返す方向に案内することにより、ベースフィルム３０の表面とセンターハブ１０の底面との双方に貼り付いている粘着性リング１５からベースフィルム３０を剥離させるようにしているから、ベースフィルム３０が粘着性リング１５の端部から順に剥離して行くことになり、安定した剥離が可能になる。したがって、センターハブ１０を磁気ディスク５に貼り付けたときに、粘着性リング１５に皺が寄ったり、センターハブと磁気ディスクとの間に空気が入ったりする問題を解消させることができる。
【００４２】
そして、第１のハブ貼付け位置Ａ１においてベースフィルム３３上にセンターハブ１０を貼り付けてから所定時間経過後に、ベースフィルム３０を剥離させるように構成されていることにより、粘着性リング１５がより強力にセンターハブ１０の底面に貼り付くことになり、磁気ディスク５に対するセンターハブ１０の貼り付けがより安定する効果がある。
【００４３】
そして、ベースフィルム剥離位置Ｓにある案内部材４５の楔状部４５ｂの尖端Ｔが、第１のハブ貼付け位置Ａ１からベースフィルム３３の移動方向の下流側に離間した位置に設けられていることにより、ベースフィルム３３が第１のハブ貼付け位置Ａ１から楔状部４５ｂの尖端Ｔまで移動する間に時間が経過することによって、上記効果を生じさせることができる。
【００４４】
また、第１のハブ貼付け位置Ａ１に設けられてベースフィルム３３の下面を受けるリング状の弾性体パッド４６が、前述のようなゴム硬度と、センターハブ１０および粘着性リング１５に対する前述のような寸法関係を有することにより、センターハブ１０の底面に対する粘着性リング１５の安定した貼付けが可能になる。
【００４５】
なお、「ｃｌｉｋ！（登録商標）」を例に本発明を記述したが、本発明はこれに限定されるものではなく、他のフレキシブル磁気ディスクに対しても全て適用できるものである。
【図面の簡単な説明】
【００４６】
【図１】本発明によるセンターハブの貼付け装置の概略的正面図である。
【図２】図１の装置で使用される粘着性リングを備えた搬送用ベースフィルムを作成するための順次の工程を示す説明図である。
【図３】図１の装置の概略的平面図である。
【図４】図１の装置の概略的側面図である。
【図５】図１の装置における案内部材および第１のハブ貼付け台の模式的断面図である。
【図６】図５の第１のハブ貼付け台の模式的拡大断面図である。
【図７】ディスクカートリッジの平面図および底面図である。
【図８】図７（ｂ）の８−８線に沿った要部の拡大断面図である。
【符号の説明】
【００４７】
１    ディスクカートリッジ
３    上シェルハーフ
４    下シェルハーフ
５    磁気ディスク
７    ロータリーシャッタ
１０    センターハブ
１５    粘着性リング
２０    ベースフィルム供給・巻取り装置
３０，３３    ベースフィルム
４１    第１のハブ貼付けヘッド
４２    第２のハブ貼付けヘッド
４５    案内部材
４６    弾性体パッド
１００    センターハブの貼付け装置
Ａ１    第１のハブ貼付け位置
Ａ２    第２のハブ貼付け位置
Ｓ    ベースフィルム剥離位置
【図１】
2006073121.tif 000003
【図２】
2006073121.tif 000004
【図３】
2006073121.tif 000005
【図４】
2006073121.tif 000006
【図５】
2006073121.tif 000007
【図６】
2006073121.tif 000008
【図７】
2006073121.tif 000009
【図８】
2006073121.tif 000010